(57)【要約】      （修正有）【課題】設置が簡単で、樹木の種々の位置から樹液を採取することができる樹液を採取するための受液器の提供。【解決手段】底辺１５と中部１６と頂部１７とを有する第１の平面と第２の平面とを、互いの底辺で固着し、固着された底辺に受液器出口１２を備え、両平面の中部同志が側面のまち１８を介して固着され貯液部１３を構成する袋状空間を形成し、貯液部頂部が受液器入口１１である開孔を形成し、第１の平面の頂部と第２の平面の頂部とが互いに対向する方向に樹枝５の外径に巻きつけられ得ることを特徴とする樹液を採取するための受液器。【選択図】図１
2005118035.tif 000002
【特許請求の範囲】
【請求項１】
底辺と中部と頂部とを有する第１の平面と第２の平面とを、
互いの底辺で固着し、固着された底辺に受液器出口を備え、
両平面の中部同志が側面のまちを介して固着され貯液部を構成する袋状空間を形成し、
貯液部頂部が受液器入口である開孔を形成し、
第１の平面の頂部と第２の平面の頂部とが互いに対向する方向に樹枝の外径に巻きつけられ得ることを特徴とする樹液を採取するための受液器。
【発明の詳細な説明】
【技術分野】
【０００１】
本発明は、樹液を採取するための受液器に関する。
【背景技術】
【０００２】
従来、樹液の採取は小さな容器等を樹液が流れるよう剪定された箇所に取りつけ樹液を採取し、これを防腐剤等が投入された大きめの保存容器に集めるという方法がとられていた。
【発明の開示】
【発明が解決しようとする課題】
【０００３】
しかし樹液の採取箇所は多数あるし、樹液は１度に多量に採取できるものではないのでこのような手作業では多大の人手がかかることになる。
このため設置が簡単で、樹木の種々の位置から樹液を採取できる受液器が望まれている。
従って、本発明の目的は上記従来技術における問題点を解決し、設置が簡単で、樹木の種々の位置から樹液を採取することができる受液器を提供することにある。
【課題を解決するための手段】
【０００４】
本発明者は、樹液を採取するための受液器について、鋭意研究した結果、特定の構造を有する受液器が、設置が簡単で、樹木の種々の位置から樹液を採取することが可能であることを見出した。
本発明者は、これらの知見から、本発明を完成させた。
【０００５】
即ち、本発明の樹液を採取するための受液器は、
底辺と中部と頂部とを有する第１の平面と第２の平面とを、
互いの底辺で固着し、固着された底辺に受液器出口を備え、
両平面の中部同志が側面のまちを介して固着され貯液部を構成する袋状空間を形成し、
貯液部頂部が受液器入口である開孔を形成し、
第１の平面の頂部と第２の平面の頂部とが互いに対向する方向に樹枝の外径に巻きつけられ得ることを特徴とする。
【発明の効果】
【０００６】
本発明の樹液を採取するための受液器は、設置が簡単で、樹木の種々の位置から樹液を採取することができる。
【発明を実施するための最良の形態】
【０００７】
以下に図面を用いて本発明を説明するが、本発明はこれらに限定されるものではない。
また、以下の説明では、本発明を主としてブドウ樹液の採取に用いた場合について説明する。ブドウ樹液は、ブドウ（Ｖｉｔａｃｅａｅ）に属する樹物の樹液であり、特に春先の発芽期前後に剪定されたブドウの枝より流出する樹液は化粧品、飲料等に用いるために採取される。なお、本発明はブドウ樹液の採取に限定されるものではなく、他の植物の樹液の採取にも用いられる。
【０００８】
図１は、樹液の採取装置の一例を示す斜視図である。
図１に示される樹液の採取装置は、樹液を受ける受液器１と受液器を樹木の所定個所に固定する固定装置２と樹液の輸送管３と抗菌処理装置４とを有する。本発明の樹液を採取するための受液器は、図１において受液器１として示されている。なお、本発明の樹液を採取するための受液器は、これに限定されるものではない。
【０００９】
本発明の樹液を採取するための受液器は、
底辺１５と中部１６と頂部１７とを有する第１の平面と第２の平面とを、
互いの底辺１５で固着し、固着された底辺に受液器出口１２を備え、
両平面の中部同志が側面のまち１８を介して固着され貯液部１３を構成する袋状空間を形成し、
貯液部頂部が受液器入口１１である開孔を形成し、
第１の平面の頂部１７と第２の平面の頂部とが互いに対向する方向に樹枝の外径に巻きつけられ得ることを特徴とする。
【００１０】
受液器１は樹液を受ける容器であり、その形状は図示例に限定されないが、比較的広い受液器入口１１と比較的狭い受液器出口１２と貯液部１３とを有するので全体がロート形状になっているのが好ましい。好ましくは全体を樹脂ラミネートのアルミ箔等で形成すれば受液器１を使用しない時はたたんで収納しておけるので好ましい。しかし全体を軟質または硬質の樹脂製としてもよい。
【００１１】
また、受液器１は、第１の平面の頂部１７と第２の平面の頂部とが互いに対向する方向に樹枝の外径に巻きつけられてなる部分１４を有するので樹木への固定が容易となる。特にブドウ樹液を採取する場合、枝の途中を剪定することが多いのでこのような形状が好適である。樹木に巻きつけることのできる部分は後に説明する固定装置を兼ねていて直接樹木に接着したり固定したりしてもよい。
【００１２】
以上の構成の受液器は、設置が容易である、樹枝の幹や末端から採取できるのみならず枝の途中にある剪定箇所からも樹液を採取できる、さらに、巻きつける部分があるのでいろいろな太さの枝に対応できる、また、屋外で採取しても樹液の中に雨やほこりが入りにくい等の効果がある。
【００１３】
次に、受液器１を樹木５に固定する固定装置２について説明する。
固定装置２は、特に限定されないが、例えば図１に示すバネを備えた把持具であってもよい。または紐や接着テープ、接着剤、マジックテープ（登録商標）等の表面構造により固着脱着が物理的に可能なテープのようなものを用いてもよい。ホッチキスのようなコの字形の綴じ金具を樹木に打ち込んで固定してもよい。
【００１４】
次に、輸送管３について説明する。
輸送管３は受液器出口１２から排出する樹液を輸送する中空の管であり、好ましくは円筒形でビニールの中空管等を用いて受液器出口の内管と液密に接合する。
【００１５】
次に、抗菌処理装置４は、受液器入口１１の下流側にあれば受液器１内にあっても受液器１に接して下流側にあってもよいし輸送管３の途中にあってもよい。
抗菌処理装置４は、採取される樹液を連続的に抗菌処理できるものであれば特に限定されず、無機系の抗菌剤が利用できる。好ましくは液入口４１と液出口４２を備えたカラムで、カラム内に無機抗菌剤４３が充填されるものがよい。無機抗菌剤はゼオライトあるいは酸化チタンの構造内に抗菌性を有する銀イオン等の金属イオンを取り込んで粉末で使用するものでもよいし、これを樹脂成型品中に混練したものでもこれを担体上にコーティングしたものでもよい。
【００１６】
このような抗菌処理装置を用いると樹液の採取と同時にその抗菌処理も連続的に行うことができるので、日中高温となるハウス内でも品質を劣化させることなく樹液を採取することができる。また、このような抗菌処理装置で抗菌処理された樹液は、３〜５日間経過後でも菌数１０ｃｆｏ／ｍｌ以下であり実質的に無菌状態の天然樹液を得ることができる。例えば春先の発芽期前後に剪定されたブドウの枝より流出する樹液をこのような抗菌処理装置を用いて抗菌処理すると、加熱殺菌や防腐剤を入れなくても長期間品質が腐敗することがないので含有されるアミノ酸類や有機酸、ミネラル、糖類が天然物そのままで得られ、飲料や化粧品その他の原料として利用することができる。
【００１７】
上記の樹液の採取装置は、受液器１と固定装置２と輸送管３と抗菌処理装置４とが一体となっているものでもよいし、輸送や保存に便利なようにある部分は別々に保管され現場で組立てられるものでもよい。必要により輸送管３の下流に貯留タンク（図示せず）を有していてもよい。
【００１８】
本発明の樹液を採取するための受液器で採取された樹液は、例えば、化粧品や飲料の原料として利用できる。
【実施例】
【００１９】
次に本発明を実施例を用いて説明するが、本発明はこれに限定されない。
ブドウ樹木を剪定した後のブドウの樹液が溢出している箇所に図１に示す樹液の採取装置を設置し樹液を７日間採取した。採取方法は抗菌処理装置として抗菌性セラミックスカラムを通すもの（実施例）と通さないもの（比較例）を行った。また、樹液は５Ｌのポリ容器に受け、それは毎日他の容器に移し替えた。１日の終わりにそれぞれサンプルを取り一般性菌数測定用の寒天培地に塗布し生育してきた菌数（ｃｆｏ／ｍｌ）を測定した。結果を表１に示す。
【００２０】
【表１】
2005118035.tif 000003
【００２１】
表１の結果に示すように、本発明の樹液を採取するための受液器を用いた樹液の採取装置は長期間連続的に多量の樹液を採取することができた。
【図面の簡単な説明】
【００２２】
【図１】樹液の採取装置の一例を説明する斜視図である。
【符号の説明】
【００２３】
１  受液器
２  固定装置
３  輸送管
４  抗菌処理装置
５  樹木
１１  受液器入口
１２  受液器出口
１３  貯液部
１４  巻きつける部分
１５  底辺
１６  中部
１７  頂部
１８  まち
４１  液入口
４２  液出口
４３  無機抗菌剤
【図１】
2005118035.tif 000004